(57)【要約】【課題】車載用純正テレビアンテナと、非純正デジタルチューナーとをコネクタ交換によって接続し、純正モニターでデジタルテレビ映像を表示することができる車載用純正テレビアンテナ変換ケーブルを提供しようとするものである。【解決手段】純正テレビアンテナ２の専用コネクタ４に接続される変換用コネクタ１０に、基端部を接続した変換コード９の先端部に、非純正デジタルチューナー５に接続する汎用コネクタより成る入出力端子１１を固着し、前記純正テレビアンテナ２と非純正デジタルチューナー５とを、前記汎用コネクタより成る入出力端子１１によるコネクタ変換によって接続することができるようにして、アンテナ変換ケーブル６が形成される。【選択図】図１
2008308101.tif 000002
【特許請求の範囲】
【請求項１】
純正テレビアンテナの専用コネクタに接続される変換用コネクタに、基端部を接続した変換コードの先端部に、非純正デジタルチューナーに接続する汎用コネクタより成る入出力端子を固着し、前記純正テレビアンテナと非純正デジタルチューナーとを、前記汎用コネクタより成る入出力端子によるコネクタ変換によって接続するようにしたことを特徴とする車載用純正テレビアンテナ変換ケーブル。
【発明の詳細な説明】
【技術分野】
【０００１】
本発明は、自動車のフロントガラス等に設置された、車載用純正テレビアンテナに、非純正デジタルチューナーを後付けで取付けて、ナビゲーション等の車載用純正モニターに接続する場合、前記純正テレビアンテナはそのまま使用して、該純正テレビアンテナと非純正デジタルチューナーとをコネクタ変換によって接続して、前記純正モニターでデジタルテレビ映像を表示することができるようにした車載用純正テレビアンテナ変換ケーブルに関するものである。
【背景技術】
【０００２】
２０１１年７月２４日にアナログテレビ放送は終了し、以後は地上デジタルテレビ放送のみとなり、自動車に搭載されたモニターでは、地上デジタルテレビ放送は、デジタルチューナーを取付けなければ、表示できないこととなる。この場合、当然車載用アンテナも地上デジタルテレビ放送用のテレビアンテナが必要となる。
【０００３】
而して、２０１１年のアナログ放送終了を見越して、現在、アナログテレビ放送と、地上デジタルテレビ放送の両方を受信することができるテレビアンテナ（純正テレビアンテナ）をフロントガラス等に設置している自動車メーカーもある。この場合、前記純正テレビアンテナに接続されているのは、該自動車メーカーの純正デジタルチューナーを備えたナビゲーション等の純正モニターであり、前記純正テレビアンテナと前記自動車メーカー以外の非純正デジタルチューナーとは、それぞれコネクタの形状が異なるため、接続することができず、前記純正モニターでデジタルテレビ映像を表示することができない。従って、非純正デジタルチューナーに接続した純正モニターでデジタルテレビ映像を表示するためには、前記純正テレビアンテナを、前記非純正デジタルチューナーと接続可能なテレビアンテナに張り替える必要がある。
【０００４】
そして、車載用純正テレビアンテナに、非純正デジタルチューナーを不具合なく接続して、純正モニターでデジタルテレビ映像を表示するようにしたアンテナ変換ケーブルに関する公知技術の有無につき、過去の特許文献を遡及検索しても、公知技術の存在を認めることができなかった。
【発明の開示】
【発明が解決しようとする課題】
【０００５】
前記のように、車載用の純正テレビアンテナに非純正デジタルチューナーを接続する手段が全くないために、ドライバー等が自分の好みの非純正デジタルチューナーと純正モニターとを接続して、該純正モニターでデジタルテレビ映像を表示することができないという課題があった。
【０００６】
また、ナビゲーション等の純正モニターでデジタルテレビ映像を表示するためには、前記純正テレビアンテナを、非純正デジタルチューナーと接続可能なテレビアンテナに張り替える必要があるという課題があった。
【０００７】
本発明は、前記従来の課題を解決すべくなされたものであって、自動車のフロントガラス等に設置された、車載用純正テレビアンテナと、非純正デジタルチューナーとをコネクタ変換で簡単に接続することにより、純正モニターでデジタルテレビ映像を表示することができる車載用純正テレビアンテナ変換ケーブルを提供しようとするものである。
【課題を解決するための手段】
【０００８】
本発明は、純正テレビアンテナの専用コネクタに接続される変換用コネクタに、基端部を接続した変換コードの先端部に、非純正デジタルチューナーに接続する汎用コネクタより成る入出力端子を固着し、前記純正テレビアンテナと非純正デジタルチューナーとを、前記汎用コネクタより成る入出力端子によるコネクタ変換によって接続するという手段を採用することにより、上記課題を解決した。
【発明の効果】
【０００９】
本発明によれば、車載用の純正テレビアンテナから送出される汎用のアンテナ信号を、アンテナ変換ケーブルに備えたＢＮＣコネクタ、またはＦ型コネクタ等の汎用のコネクタより成る入出力端子でのコネクタ変換によって、非純正デジタルチューナーに送信して、前記純正テレビアンテナより送信されたデジタル信号を、該非純正デジタルチューナーで同調させて受信することができるので、純正テレビアンテナおよび純正モニターはそのまま使用して、ドライバーは前記純正モニターでデジタルテレビ放送を見て楽しむことができる。また更に、本発明によれば、純正テレビアンテナを張り替えることなく、そのまま利用して、非純正デジタルチューナーと接続できるので、張り替えの手間がかからず、コストが安いという効果を奏する。
【実施例】
【００１０】
本発明の実施例を図面に基づいて詳細に説明する。図１は、本発明車載用純正テレビアンテナ変換ケーブルを、車載用の純正テレビアンテナと非純正デジタルチューナーとに接続する状態を示す分解平面図である。図１において、自動車（図示せず）のフロントガラス１の外周縁部には、純正テレビアンテナ２が取付けられていると共に、自動車内には、ナビゲーション等の純正モニター３が設置されている。
【００１１】
図１において、前記車載用の純正テレビアンテナ２の接続端縁部には、該純正テレビアンテナ２専用の専用コネクタ４が接続されており、また純正モニター３には、非純正デジタルチューナー５が接続されている。そして、前記純正テレビアンテナ２と前記非純正デジタルチューナー５とが、本発明アンテナ変換ケーブル６によって接続される。
【００１２】
本発明者は、純正テレビアンテナ２のアンテナ信号自体は、汎用のアンテナ信号である点に着目して、本発明をなしたものである。すなわち、純正テレビアンテナ２の専用コネクタ４に設置された入出力端子７に装着する入出力端子８を前記専用コネクタ４側に備えると共に、前記入出力端子８に変換コード９の基端部を固着して変換用コネクタ１０が形成され、更に、前記専用コネクタ４と接続された前記変換用コネクタ１０の変換コード９の先端部に、非純正デジタルチューナー５に接続するＢＮＣコネクタ、またはＦ型コネクタ等、汎用のコネクタより成る入出力端子１１を固着して、本発明アンテナ変換ケーブル６が構成されている。
【００１３】
前記本発明アンテナ変換ケーブル６により、純正テレビアンテナ２から送出された汎用のアンテナ信号を、ＢＮＣコネクタ、またはＦ型コネクタ等の汎用のコネクタより成る入出力端子１１でのコネクタ変換により、非純正デジタルチューナー５に送出することができる。
【００１４】
前記構成より成る本発明アンテナ変換ケーブル６の変換用コネクタ１０の入出力端子８を、専用コネクタ４の入出力端子７に装着すると共に、アンテナ変換ケーブル６の変換コード９の先端部の汎用のコネクタより成る入出力端子１１を、非純正デジタルチューナー５の入出力端子１２に装着する。
【００１５】
前記のように、純正テレビアンテナ２から送出される汎用のアンテナ信号を、アンテナ変換ケーブル６に備えた汎用のＢＮＣコネクタ、またはＦ型コネクタ等の汎用のコネクタより成る入出力端子１１でのコネクタ変換によって、非純正デジタルチューナー５に送出することができるので、前記非純正デジタルチューナー５に接続されたナビゲーション等の純正モニター３でデジタルテレビ映像を表示することができ、ドライバーはアナログ放送対応の純正モニター３で好みのデジタルテレビ放送を楽しむことができる。
【図面の簡単な説明】
【００１６】
【図１】本発明自動車における地上デジタルテレビ放送受信用のアンテナ変換ケーブルを、純正テレビアンテナと非純正デジタルチューナーとに接続する状態を示す分解平面図である。
【符号の説明】
【００１７】
２    純正テレビアンテナ
３    純正モニター
４    専用コネクタ
５    非純正デジタルチューナー
６    アンテナ変換ケーブル
７    入出力端子
８    入出力端子
９    変換コード
１０  変換用コネクタ
１１  汎用のコネクタより成る入出力端子
【図１】
2008308101.tif 000003